(57)【特許請求の範囲】
【請求項１】
複数のラインセンサが配置され、前記ラインセンサの上部にガラスを配置したラインセンサユニットと、前記ラインセンサユニットを覆う蓋部と、原稿を搬送する搬送部と、前記ラインセンサを載置すると共に前記蓋部を開閉可能に軸支する固定部を有し、前記ラインセンサユニットと前記蓋部の間に前記原稿を搬送させ、前記ガラス上に搬送される前記原稿を前記ラインセンサによって読取る画像読取装置において、
前記ライセンサユニットは、前記ガラスの長手方向の端部であって前記ガラスの表面と側面とに当接させて前記ガラスを前記ラインセンサに着脱可能に固定する押え板と、前記押え板を前記ラインセンサユニットの前記長手方向の側面に固定する固定手段と、を有し、
前記ラインセンサの前記長手方向の側から前記固定手段を解除することで、前記ガラスの固定を解除することができ、
前記ラインセンサユニットは前記ラインセンサユニットの短手方向の両側面に配置した位置決め板を有し、
前記固定部は、前記位置決め板の一方側の端部を挿入する第１の開口と、前記位置決め板の他方側の端部を挿入する第２の開口と、を有し、
前記画像読取装置は、前記位置決め板の前記一方側の端部を前記第１の開口の当接部に当接させるために押圧する第1の固定板と、前記位置決め板の前記他方側の端部を前記第２の開口の当接部に当接させるために押圧する第２の固定板と、を有し、
前記位置決め板は前記第１の固定板と接触する部分に斜面部をさらに有し、
前記第１の固定板を前記斜面部に沿って押圧しながら移動させることで、前記第１の固定板と前記斜面部との接触位置に応じて前記ラインセンサユニットが前記長手方向に移動することを特徴とする画像読取装置。
【請求項２】
前記蓋部の開閉の角度を制限する開閉規制手段と前記蓋部を所定の角度に保持する係合部を有し、
前記開閉規制手段が前記固定部に第１の方向に取り付けられている場合は、前記開閉規制手段が前記蓋部を第１の角度以上開かないように制限するとともに前記係合部が前記蓋部と係合不能となり、前記開閉規制手段が前記固定部に第２の方向に取り付けられている場合は、前記開閉規制手段が前記蓋部を第１の角度以上開くように制限を解除するとともに前記係合部が前記蓋部と係合可能となり、前記係合部によって前記蓋部と係合することで前記蓋部を前記ガラスおよび前記ラインセンサユニットが取り外せる角度である第２の角度に保持することを特徴とする請求項１に記載の画像読取装置。
【請求項３】
前記ラインセンサの前記長手方向の端部に配置され、前記ラインセンサユニットを前記長手方向に付勢する付勢手段を有することを特徴とする請求項２に記載の画像読取装置。
【請求項４】
前記第１の開口は、開口部の幅が対応する前記位置決め板毎に異なることを特徴とする請求項３に記載の画像読取装置。
【請求項５】
前記固定手段を覆う着脱可能なカバーを有することを特徴とする請求項４に記載の画像読取装置。
【請求項６】
請求項１から請求項５のいずれかに記載の画像読取装置と、前記画像読取装置で読取った画像に基づいて画像を記録するプリント手段と、を有することを特徴とする画像形成装置。
【発明の詳細な説明】
【技術分野】
【０００１】
本発明は、搬送される原稿を読み取る画像読取装置および画像形成装置に関する。
【背景技術】
【０００２】
従来、原稿を搬送する搬送ユニットと、この搬送ユニットによる搬送経路上に設けられ、原稿を読み取るイメージセンサ部を有する画像読取装置を備えた、いわゆる原稿移動型の画像読取装置が知られている。また、この画像読取装置を搭載し記録媒体に画像を記録する画像形成装置が知られている。
【０００３】
この種の画像読取装置には、例えば特開２００６−２４５６３５号公報に記載のものがある。この装置の原稿読取ユニットは、イメージセンサ部が原稿の搬送方向に直交する幅方向に沿って配設された複数のラインセンサを箱状の支持ベースに固定され、その上部に搬送された原稿を支持するコンタクトガラスを備えるものである。
【先行技術文献】
【特許文献】
【０００４】
【特許文献１】特開２００６−２４５６３５号公報
【発明の概要】
【発明が解決しようとする課題】
【０００５】
このような原稿読取ユニットを画像読取装置に取り外すときは、外装ケースや蓋部分を外し、原稿読取ユニットをむき出しにした状態にする必要がある。また、組上げるときもて、最後に外装ケースなどを取り付けている。そのため、原稿読取ユニットの交換あるいはイメージセンサだけの交換の場合でも、外装ケースやその他いろいろな関係ない部品を外してからでないと交換ができなかった。また、画像読取装置に原稿読取ユニットを装着する時に基準位置に対して位置ズレがないように組上げる必要があり、位置合わせしながら長孔に対してネジ止めしながら組立てるので、熟練した人による組立が必要であり、組立てに時間がかかっていた。
【課題を解決するための手段】
【０００６】
本発明の画像読取装置は、複数のラインセンサが配置され、前記ラインセンサの上部にガラスを配置したラインセンサユニットと、前記ラインセンサユニットを覆う蓋部と、原稿を搬送する搬送部と、前記ラインセンサを載置すると共に前記蓋部を開閉可能に軸支する固定部を有し、前記ラインセンサユニットと前記蓋部の間に前記原稿を搬送させ、前記ガラス上に搬送される前記原稿を前記ラインセンサによって読取る画像読取装置において、前記ライセンサユニットは、前記ガラスの長手方向の端部であって前記ガラスの表面と側面とに当接させて前記ガラスを前記ラインセンサに着脱可能に固定する押え板と、前記押え板を前記ラインセンサユニットの前記長手方向の側面に固定する固定手段と、を有し、前記ラインセンサの前記長手方向の側から前記固定手段を解除することで、前記ガラスの固定を解除することができ、前記ラインセンサユニットは前記ラインセンサユニットの短手方向の両側面に配置した位置決め板を有し、前記固定部は、前記位置決め板の一方側の端部を挿入する第１の開口と、前記位置決め板の他方側の端部を挿入する第２の開口と、を有し、前記画像読取装置は、前記位置決め板の前記一方側の端部を前記第１の開口の当接部に当接させるために押圧する第1の固定板と、前記位置決め板の前記他方側の端部を前記第２の開口の当接部に当接させるために押圧する第２の固定板と、を有し、前記位置決め板は前記第１の固定板と接触する部分に斜面部をさらに有し、前記第１の固定板を前記斜面部に沿って押圧しながら移動させることで、前記第１の固定板と前記斜面部との接触位置に応じて前記ラインセンサユニットが前記長手方向に移動することを特徴とする。
【０００７】
また、本発明の画像形成装置は、上述画像読取装置と、前記画像読取装置で読取った画像に基づいて画像を記録するプリント手段と、を有することを特徴とする。
【発明の効果】
【０００８】
本発明によれば、原稿読取ユニットあるいはイメージセンサの交換が容易となる。またスキャナ装置の製造時における組立てが容易となる。
【図面の簡単な説明】
【０００９】
【図１】図１は、本発明の実施形態の画像読取装置を含む製品全体の概略図である。
【図２】図２は、本発明の実施形態の画像読取装置の全体の概略図である。
【図３】図３は、本発明の実施形態の蓋部開閉規制部の斜視図である。
【図４】図４は、本発明の実施形態の蓋部開閉規制部の規制板操作後の斜視図である。
【図５】図５は、本発明の実施形態のガラス部の概略図である。
【図６】図６は、本発明の実施形態のガラス押さえ板の斜視図である。
【図７】図７は、本発明の実施形態のガラス押さえ板の取り付の概略図である。
【図８】図８は、本発明の実施形態のガラス押さえ板の右側板方向からの側面図である。
【図９】図９は、本発明の実施形態のラインセンサユニット部の概略図である。
【図１０】図１０は、本発明の実施形態のラインセンサユニット取り付部の右側板側の概略図である。
【図１１】図１１は、本発明の実施形態のラインセンサユニット取り付部の右側板側の断面図である。
【図１２】図１２は、本発明の実施形態のラインセンサユニット取り付部の左側板側の概略図である。
【図１３】図１３は、本発明の実施形態のラインセンサユニット取り付部の左側板側の断面図である。
【図１４】図１４は、本発明の実施形態のラインセンサユニット固定板の取り付の概略図である。
【発明を実施するための形態】
【００１０】
図面を用いて、本発明の実施形態を説明する。
図１は、本発明の実施形態の画像読取装置を含む製品全体の概略図である。画像読取装置１は、プリンタ本体４の上部に配置され、画像読取装置１の上部には操作パネル２、前方には原稿台３が配置される。原稿台３に置かれた原稿を搬送し、画像読取装置１にて原稿を読取る。プリンタ本体４は画像読取装置１によって読取った画像に基づいて記録媒体に画像を記録するプリント手段を備える。また、このプリント手段はプリンタ本体４の外部のホストコンピュータから画像データを受信してその画像データに基づいて記録媒体に画像を記録することもできる。
【００１１】
図２は、本発明の実施形態の画像読取装置の全体の概略図である。画像読取装置１は、大きく分けて、開閉可能な蓋部５と、プリンタ本体４に完全に固定される固定部６から構成される。又、固定部６の左右にある駆動部やケーブル類あるいはネジ等の固定手段を外部に露出させないように、左側面には左側面カバー７が取り付けられ、右側面には右側面カバー８が取り付けられる。左側面カバー７と右側面カバー８は容易に取り付け、取り外しができる。左側面カバー７と右側面カバー８を取り外すことで、各種の保守作業が可能となる。
【００１２】
図３は、本発明の実施形態の蓋部開閉規制部の斜視図である。蓋部５は、画像読取時においてジャムが発生した際、装置使用者が容易に原稿を取り除くことができるよう、支点ダンパ４０を回転中心として開閉可能な構造となっている。その際、蓋部５は、左右両端に蓋部側面カバー１３を備えており、蓋部５を開いた状態でレバー３６をスライドさせることで、レバー３６の上面に蓋部側面カバー１３が乗り上げることになり、蓋部５を一定の角度に開いた状態で保持することができる。レバー３６は、長穴３７の長さ分だけスライドすることができ、下方から飛び出した板ばね３８が溝部３９に適度な加圧力で引っ掛かることにより、その位置を維持および解除することができる。又、蓋部５を開いていくと、蓋部側面カバー１３が開閉規制板１１の第１突き当て部１２に突き当たり、レバー３６をスライドさせる際の適した角度で蓋部５を止めることができる。開閉規制板１１は、第１固定部９と、第２固定部１０にて、ネジで固定されている。
【００１３】
図４は、本発明の実施形態の蓋部開閉規制部の規制板操作後の斜視図である。開閉規制板１１の第１固定部９のネジを緩め、第２固定部１０のネジを取り外すと、開閉規制板１１は、第１固定部９を中心に回転させることができる。開閉規制板１１を９０度回転させると、開閉規制板１１の第２突き当て部１４が、蓋部側面カバー１３に引っ掛かり、系合することで蓋部が決められた角度で保持される。後述するガラス１５の取り外し取り付けができ、ラインセンサユニット２３の取り付け取り外しができる確度で保持される。蓋部５は例えば９０度開いて保持される。これにより、蓋部５によって隠れていた場所の各種保守作業が、蓋部５を取り外す必要なく可能となる。
【００１４】
図５は、本発明の実施形態のガラス部の概略図である。ガラス１５は、対称形状である左ガラス押さえ板１６と右ガラス押さえ板１７によって、固定部６の内部にあるラインセンサユニット２３に固定される。ガラス１５を取り外すと、ラインセンサ４１や、それらを保持している部品に対して取り外し、取り付け、位置調整などの操作、作業が可能となる。固定部６の両側には、それぞれ右側板２５と、左側板２９が備えられている。
【００１５】
図６は、本発明の実施形態のガラス押さえ板の斜視図である。右ガラス押さえ板１７は、金属製の板に、ネジ固定用の溝部１８と、ガラスを一方向に押し付けるための爪部１９を有する。溝部１８を穴ではなく溝としているのは、ネジを取り外さずに緩めるだけで、右ガラス押さえ板１７を付け外しできるようにしているためである。又、板の厚み方向にガラスを押し付けるためのクッション材２０を付加している。クッション材２０は、適度な厚みをもったゴムまたはスポンジが望ましく、両面テープまたは接着剤にて固定される。左ガラス押さえ板１６も同様の構成である。
【００１６】
図７は、本発明の実施形態のガラス押さえ板の取り付の概略図である。ガラス１５の端部に左ガラス押さえ板１６を乗せ、爪部１９を引っ掛ける方向に押し付けることで、ガラス１５の短手方向のがたつきを抑えることができる。又、同時に、左ガラス押さえ板１６を下方に押し付けることで、ガラス１５の厚み方向のがたつきを抑えることができる。ガラス１５の長手方向のがたつきはクッション材によって抑えられるため、この状態で左ガラス押さえ板１６を、ガラス押さえ板固定ネジ２１によって固定することで、ガラス１５を理想の位置で保持することができる。また、押付ばね４４が左側板２９を押し、ラインセンサユニット２３を右側板２９方向に付勢する。
【００１７】
図８は、本発明の実施形態のガラス押さえ板の右側板方向からの側面図である。ガラス押さえ板固定ネジ２１は、右側板２５の内側に配置されるため隠れてしまう。そこで、ドライバー等の工具を使用する際に障害となる部品には、開口部２２を設け、障害となる部品を付け外しすることなく、ガラス押さえ板固定ネジ２１を緩めたり締めたりすることを可能にしている。
【００１８】
図９は、本発明の実施形態のラインセンサユニット部の概略図である。ラインセンサユニット２３は、固定板２４によって、固定部６の内部に固定される。固定部６の両側には、それぞれ右側板２５と、左側板２９が備えられている。
【００１９】
図１０は、本発明の実施形態のラインセンサユニット取り付部の右側板側の概略図である。右側板２５には、ラインセンサユニット２３に位置精度良く取り付けられた位置決め板２８を差し込むための右側板第１溝部２６と、右側板第２溝部２７を設けている。右側板第１溝部２６の溝の幅は右側板第２溝部２７よりも狭く、ラインセンサユニット２３の短手方向の取り付け位置の基準となる。又、右側板第１溝部２６に逃げ部４３を設けることで、プレス加工等において溝の内側４隅にせん断ばり等が発生した場合でも、位置決め板２８が理想の位置で突き当たるようにしている。
【００２０】
図１１は、本発明の実施形態のラインセンサユニット取り付部の右側板側の断面図である。位置決め板２８を、右側板２５に設けられた右側板第１溝部２６と、右側板第２溝部２７に差し込むことで、高さ方向が理想の位置となり、固定板２４を上方から押し付けながら固定することにより、がたつきを抑えている。位置決め板２８は右側板第１溝部２６と、右側板第２溝部２７の下部、すなわち当接部に当接する。又、同時に突き当て部４２を右側板２５に突き当てることにより、右側版２５との距離を一定としている。
【００２１】
図１２は、本発明の実施形態のラインセンサユニット取り付部の左側板側の概略図である。左側板２９には、ラインセンサユニット２３に位置精度良く取り付けられた位置決め板２８を差し込むための左側板第１溝部３０と、左側板第２溝部３１を設けている。左側板第１溝部３０の溝の幅は左側板第２溝部３１よりも狭く、ラインセンサユニット２３の短手方向の取り付け位置の基準となる。又、左側板第１溝部３０に逃げ部４３を設けることで、プレス加工等において溝の内側４隅にせん断ばり等が発生した場合でも、位置決め板２８が理想の位置で突き当たるようにしている。
【００２２】
図１３は、本発明の実施形態のラインセンサユニット取り付部の左側板側の断面図である。位置決め板２８を、左側板２９に設けられた左側板第１溝部３０と、左側板第２溝部３１に差し込むことで、高さ方向が理想の位置となり、傾斜部３２に固定板２４を上方から押し付けながら固定することにより、がたつきを抑えている。位置決め板２８は左側板第１溝部３０と、左側板第２溝部３１の下部、すなわち当接部に当接する。同時に、傾斜によって、位置決め板２８を差し込み方向と逆の方向に寄せることになり、位置決め板２８の長手方向の位置が理想の位置となり、長手方向のがたつきも抑えることができる。
【００２３】
図１４は、本発明の実施形態のラインセンサユニット固定板の取り付の概略図である。固定板２４は、ネジ固定穴３５によって、左側板２９にネジ固定される。その際、固定板２４を下方に押し付けることで、上下規制部３３が位置決め板２８に突き当たり、上下方向のがたつきを抑えることができる。又、同時に、固定板２４を図の左方向へ押し付けることで、前後規制部３４が位置決め板２８に突き当たり、前後方向のがたつきも抑えることができる。
【産業上の利用可能性】
【００２４】
本発明は、原稿を搬送させ、その原稿を読取る読取装置、その読取装置を搭載した画像形成装置に適用できる。
【符号の説明】
【００２５】
１  画像読取装置
２  操作パネル
３  原稿台
４  プリンタ本体
５  蓋部
６  固定部
７  左側面カバー
８  右側面カバー
９  第１固定部
１０  第２固定部
１１  開閉規制板
１２  第１突き当て部
１３  蓋部側面カバー
１４  第２突き当て部
１５  ガラス
１６  左ガラス押さえ板
１７  右ガラス押さえ板
１８  ネジ固定用溝部
１９  爪部
２０  クッション材
２１  ガラス押さえ板固定ネジ
２２  開口部
２３  ラインセンサユニット
２４  固定板
２５  右側板
２６  右側板第１溝部
２７  右側板第２溝部
２８  位置決め板
２９  左側板
３０  左側板第１溝部
３１  左側板第２溝部
３２  傾斜部
３３  上下規制部
３４  前後規制部
３５  ネジ固定穴
３６  レバー
３７  長穴
３８  板ばね
３９  溝部
４０  支点ダンパ
４１  ラインセンサ
４２  突き当て部
４３  逃げ部
４４  押付ばね
【図１】
0005506495.tif 000002
【図２】
0005506495.tif 000003
【図３】
0005506495.tif 000004
【図４】
0005506495.tif 000005
【図５】
0005506495.tif 000006
【図６】
0005506495.tif 000007
【図７】
0005506495.tif 000008
【図８】
0005506495.tif 000009
【図９】
0005506495.tif 000010
【図１０】
0005506495.tif 000011
【図１１】
0005506495.tif 000012
【図１２】
0005506495.tif 000013
【図１３】
0005506495.tif 000014
【図１４】
0005506495.tif 000015